(57)【要約】【課題】視覚及び聴覚障害者に対しても火災の発生を報知できる火災報知装置及びその方法を提供する。【解決手段】放散制御手段４には、火災の発生を検知する火災検知手段１と、前記放散制御手段４により作動される臭い放散手段９が接続されている。火災検知手段１は、火災の発生を検知すると放散制御手段４を作動する。該放散制御手段４には、連続的に放散する臭いの放散開始時間、あるいは間欠的に放散する臭いの放散時間と間隔及び間欠的に放散する臭いの放散濃度を設定する臭い条件設定手段５を備えると共に該臭い条件設定手段５により設定された臭い条件に応じて前記臭い放散手段９を作動する。【選択図】  図１
2004326326.tif 000002
【特許請求の範囲】
【請求項１】
火災の発生を検知する火災検知手段からの信号により作動する放散制御手段と、該放散制御手段により作動される臭い放散手段とを備え、前記放散制御手段は、連続的に放散する臭いの放散開始時間又は間欠的に放散する臭いの放散時間、放散間隔、放散濃度を設定する臭い条件設定手段を備えると共に該臭い条件設定手段により設定された臭い条件に応じて前記臭い放散手段を作動することを特徴とする火災報知装置。
【請求項２】
前記臭い放散手段は、ガス噴射口にソレノイドバルブを備える高圧ガスボンベを有し、前記放散制御手段からの信号に基づき前記ソレノイドバルブを開放して臭いを放散することを特徴とする請求項１に記載の火災報知装置。
【請求項３】
前記臭い放散手段は、前記放散制御手段からの信号に基づき回転運動を開始する、噴出口に近づくにつれて空気圧が高くなるように形成された前記噴出口に臭い放散物質を備える、回転運動を空気圧縮に変えるスクリュー型の放散手段であることを特徴とする請求項１に記載の火災報知装置。
【請求項４】
前記臭い放散手段は、半球型の容器内に臭い放散物質を備え前記放散制御手段からの信号に基づき開かれる臭い放散口を有し、天井に配設されていることを特徴とする請求項１に記載の火災報知装置。
【請求項５】
前記臭い放散手段は、前記放散制御手段からの信号に基づき熱せられる発熱体を備える臭い放散物質と、前記発熱体の発熱により放散される臭いを拡散する拡散手段を備えることを特徴とする請求項１に記載の火災報知装置。
【請求項６】
前記臭い放散手段は、避難経路に沿って間隔を空けて配設されていることを特徴とする請求項１から５の何れかに記載の火災報知装置。
【請求項７】
臭い放散手段を避難経路に沿って間隔を空けて配設し、火災の発生時に、火災検知手段からの信号により作動する放散制御手段の制御により火災現場近くの臭い放散手段から作動し、順次避難口から遠い臭い放散手段に向って作動し、前記臭い放散手段により臭いを放散し火災を報知することを特徴とする火災報知方法。
【請求項８】
火災の発生時に、火災検知手段からの信号により作動する放散制御手段により、起床を喚起する臭いを放散する臭い放散手段を作動して臭いを放散させた後に、刺激臭を放散する臭い放散手段を作動して臭いを放散させて火災を報知することを特徴とする火災報知方法。
【請求項９】
臭い放散手段を避難経路に沿って間隔を空けて配設し、火災の発生時に、火災検知手段からの信号により作動する放散制御手段の制御により臭い放散手段を間欠的に作動し、該間欠作動時には、初期段階では長い放散間隔であると共に短い放散時間で臭いを放散させ、時間経過と共に徐々に放散間隔が短くなると共に放散時間を長くして臭いを放散させて火災を報知することを特徴とする火災報知方法。
【発明の詳細な説明】
【０００１】
【発明の属する技術分野】
本発明は、火災報知装置及びその方法に関し、特に視聴覚障害者に有効な火災報知装置及びその方法に関する。
【０００２】
【従来の技術】
従来の火災警報装置は、火災により発生する熱、煙、ガス、炎の光等を検出する火災感知器等の火災警報装置が知られており、それらを単独で、又、誤報等を防止するためにそれらを組み合わせて火災を判断するようにしていた。そして検知された信号によりベル等を鳴らすと共に、スプリンクラーなどを作動させるようになっている。しかし、このような火災警報装置は、視覚及び聴覚に障害のある人達に対しては役に立たなかった。
【０００３】
又、ガス系消火装置では、消火時に火災対象域を密閉して消火することから、消火後その区域は危険ガスが充満している。不用意にその区域に立ち入ることは危険である。この危険を防止すべく消火用ガスに臭い物質を混合して放射しその臭いで人の立ち入ることを警告するガス系消火装置における臭い物質注入装置がある（例えば特許文献１参照。）。この装置は、消火用ガス供給管に連結してあって、臭い物質の薬液注入口と、この薬液槽と、高圧ガスボンベと、先端にカッターを設けたピストンとを有している。ガス圧力により前記ピストンが移動し、カッターによってボンベ口封板とボンベを開口し、ボンベの圧力ガスを薬液槽に導入する。その圧力ガスにより出口封板が開口し、薬液が薬液注入口よりガス供給管内に流入して消火用ガスと混合する装置である。前記装置は、消火用ガスに臭い物質を混合して放射する装置であるが、その目的は、ガス系消火装置を使用後に不用意にその区域に立ち入る危険性を排除するものであり、視覚及び聴覚に障害のある人達以外にも適用できる。しかし、火災発生時に火災発生を報知するものではない。
【０００４】
視覚及び聴覚に障害のある人達に対して、火災発生時に火災発生を報知できないという前記問題点を解決する手段として以下の装置がある。視覚障害者に対して報知する装置としては従来からベル音を発する火災報知装置がある。また、聴覚障害者に対しては、例えば臭気を発散させることによって火災等の緊急事態を報知する警報装置がある（例えば特許文献２参照。）。かかる臭気を発散させる警報装置は、センサ手段が異常を検知すると、回路手段が通電されてヒュ−ズが溶解し、このときの溶解熱によりヒュ−ズに設けられた臭気包が破壊されて、臭気が飛散する。また、センサ手段が異常を検知すると、回路手段が通電されてヒュ−ズが溶解してピン部材が作動して、臭気包が破壊され、臭気が飛散するものである。
【０００５】
【特許文献１】
特開平６−７９０１２号公報
【特許文献２】
特開平０６−７６１７９号公報
【０００６】
【発明が解決しようとする課題】
しかし、従来のベル音による火災報知装置ではベルの音がなるのみで、視覚障害者は避難通路を知ることができない。また前記臭気を発散させる警報装置では、臭いによって視聴覚障害者に対して火災発生を報知できるが、センサ手段が異常を検知するとヒュ−ズが溶解して臭気が飛散するものである。このために、臭気の発生するタイミングがヒューズの溶解時間で一義的に定まり、また、その臭気も単一の臭気である。しかし、火災が発生する状況は多岐であり、就眠中の火災、或は、煙が発生して避難経路が分らなくなる火災等があり、臭いによる報知タイミングを一義的に決定することは好ましくない。また、人体が臭いに対して反応する条件も色々ある。例えば、人体は、花や植物の香りに対しては起床を促すことができず、消炎臭や火災臭では起床する。このように、火災が発生する状況、人体が反応する条件に応じて火災を報知する火災報知装置及びその方法が望まれている。
【０００７】
本発明はかかる問題を解決して視覚及び聴覚障害者に対しても火災の発生を報知できる火災報知装置及びその方法を提供することを目的としてなされたものである。
【０００８】
【課題を解決するための手段】
本発明は上記目的を達成するために請求項１記載の火災報知装置は、火災の発生を検知する火災検知手段からの信号により作動する放散制御手段と、該放散制御手段により作動される臭い放散手段とを備え、前記放散制御手段は、連続的に放散する臭いの放散開始時間又は間欠的に放散する臭いの放散時間、放散間隔、放散濃度を設定する臭い条件設定手段を備えると共に該臭い条件設定手段により設定された臭い条件に応じて前記臭い放散手段を作動することを特徴とする。
【０００９】
請求項２記載の火災報知装置は、請求項１に記載の火災報知装置において、前記臭い放散手段は、ガス噴射口にソレノイドバルブを備える高圧ガスボンベを有し、前記放散制御手段からの信号に基づき前記ソレノイドバルブを開放して臭いを放散することを特徴とする。
【００１０】
請求項３記載の火災報知装置は、請求項１に記載の火災報知装置において、前記臭い放散手段は、前記放散制御手段からの信号に基づき回転運動を開始する、噴出口に近づくにつれて空気圧が高くなるように形成された前記噴出口に臭い放散物質を備える、回転運動を空気圧縮に変えるスクリュー型の放散手段であることを特徴とする。
【００１１】
請求項４記載の火災報知装置は、請求項１に記載の火災報知装置において、前記臭い放散手段は、半球型の容器内に臭い放散物質を備え前記放散制御手段からの信号に基づき開かれる臭い放散口を有し、天井に配設されていることを特徴とする。
【００１２】
請求項５記載の火災報知装置は、請求項１に記載の火災報知装置において、前記臭い放散手段は、前記放散制御手段からの信号に基づき熱せられる発熱体を備える臭い放散物質と、前記発熱体の発熱により放散される臭いを拡散する拡散手段を備えることを特徴とする。
【００１３】
請求項６記載の火災報知装置は、請求項１から５の何れかに記載の火災報知装置において、前記臭い放散手段は、避難経路に沿って間隔を空けて配設されていることを特徴とする。
【００１４】
請求項７記載の火災報知方法は、臭い放散手段を避難経路に沿って間隔を空けて配設し、火災の発生時に、火災検知手段からの信号により作動する放散制御手段の制御により火災現場近くの臭い放散手段から作動し、順次避難口から遠い臭い放散手段に向って作動し、前記臭い放散手段により臭いを放散し火災を報知することを特徴とする。
【００１５】
請求項８記載の火災報知方法は、火災の発生時に、火災検知手段からの信号により作動する放散制御手段により、起床を喚起する臭いを放散する臭い放散手段を作動して臭いを放散させた後に、刺激臭を放散する臭い放散手段を作動して臭いを放散させて火災を報知することを特徴とする。
【００１６】
請求項９記載の火災報知方法は、臭い放散手段を避難経路に沿って間隔を空けて配設し、火災の発生時に、火災検知手段からの信号により作動する放散制御手段の制御により臭い放散手段を間欠的に作動し、該間欠作動時には、初期段階では長い放散間隔であると共に短い放散時間で臭いを放散させ、時間経過と共に徐々に放散間隔が短くなると共に放散時間を長くして臭いを放散させて火災を報知することを特徴とする。
【００１７】
【発明の実施の形態】
図１により、本発明の火災報知装置について説明する。火災報知ベル２が信号線１９により接続されている火災の発生を検知する火災検知手段１からの信号線３には、臭いの放散を制御する放散制御手段４が接続されている。該放散制御手段４により作動される臭い放散手段９が信号線７により放散制御手段４に接続されている。前記放散制御手段４は、該前記放散制御手段４の処理を行うためのマイクロコンピュータ（ＣＰＵ）４０、ＲＡＭ４１、ＲＯＭ４２、臭い放散手段９を駆動する駆動回路４３よりなり、ＣＰＵ４０にはキーボード５とディスプレイ６が信号線４４、４５により、それぞれ接続されている。臭い放散手段９と駆動回路４３は信号線７により接続されている。ＲＡＭ４１、ＲＯＭ４２、駆動回路４３は、信号線４６、４７、４８より、ＣＰＵ４０にそれぞれ接続されている。
【００１８】
ＲＯＭ４２には、当該火災報知装置を作動させるためのプログラムが格納されており、ＲＡＭ４１は前記火災報知装置を作動させるために必要なデータ類が格納される。キーボード５とディスプレイ６は、火災報知装置を作動させるための諸条件を入力するためのデータ入力手段と、火災報知装置の状態や入力されたデータを確認するための表示装置である。前記キーボード５は、臭いの放散状態（臭いが連続的に放散される状態または間欠的に放散される状態）、放散開始時間、放散間隔、放散濃度などを設定する臭い条件設定手段として作用する。該条件設定手段から入力されたデータは、前記ＲＡＭ４１に格納されＣＰＵ４０により適宜用いられる。
【００１９】
臭い放散手段９は、臭い発生制御手段９０と臭い発生手段９１とより構成されている。臭い放散手段９に備えられている臭い発生制御手段９０が前記信号線７により放散制御手段４と接続されている。また、臭い発生制御手段９０と臭い発生手段９１は、信号線８により接続されていて、前記臭い発生制御手段９０は、例えば１チップマイクロコンピュータであってもよい。或は、その他の制御手段であり、具体的な実施形態は図２乃至図６によって後述する。
【００２０】
図２において、前記臭い放散手段９は、高圧ガスボンベ１０のガス噴射口に前記臭い発生制御手段９０として設けられているソレノイドバルブ１１と臭い発生手段９として高圧ガスと共に臭いを発する物質１０２が封入されている高圧ガスボンベ１０とで構成されていて、前記高圧ガスの噴射と共に臭い１２が外部に放散される。かかる臭い放散手段９は、床に配設したり、壁に懸けたりする場合に適している。図３に示すように、ソレノイドバルブ１１は、図示していない電磁石の力によってプランジャー１１１を移動させて通路を開いて気体、液体、紛体などを通過させ、スプリング１１０の反発力により復帰して通路を閉じるものであるが、臭い物質が封入された高圧ボンベ１０と結合することにより臭い放散手段９となる。ソレノイドバルブ１１は、ネジ部１１２で高圧ボンベ１０と結合されていて、ソレノイドバルブ１１が作動してプランジャー１１１が移動すると、高圧ボンベ１０の出口１１３と噴射口１１４との通路が確保され、前記高圧ガスの噴射と共に臭い１２が外部に放散される。ソレノイドバルブ１１と高圧ボンベ１０の結合は、これ以外であってもよく、例えば留め具を高圧ボンベ１０のガス封印用絞り止めに釜須形で固定してもよい。
【００２１】
図４において、前記臭い放散手段９は、臭い発生制御手段９０として設けられている回転運動を空気圧縮に繋げるスクリュー型空気圧縮装置２０と、臭い発生手段９１として前記スクリュー型空気圧縮装置２０の出口に備えられる匂いを含浸させた材料１３とで構成されている。かかる臭い放散手段９は、床に設置する場所がない場合に、壁、柱の間、窓などに設置するのに適している。前記スクリュー型空気圧縮装置２０の筐体２０１は、出口１４に行くに従い狭められファン２００の大きさも小さくなる。モーター等の回転運動をファン２００の回転として伝え、空気２０２を取りこみ、該空気の流れは、出口１４で最大限に圧縮され、高圧空気となって流れ出す。ここへ臭いを含浸させた材料１３を設け、臭い１２が外部に噴射する構造である。前記放散制御手段４からの信号に基づきファン２００が回転し、圧縮された空気流が臭いを含浸させた材料１３にあたり臭いを噴出する。なお、臭いを含浸させた材料１３の設置方法は、前記筐体２０１の出口１４に密着して設けてもよく、或は、図示していない支持手段により前記筐体２０１の出口１４から離して設けてもよい。
【００２２】
図５において、前記臭い放散手段９は、臭い発生制御手段９０として設けられている天井１６に取り付けられたモータ１７の回転により回転されるファン２００と、臭い発生手段９１として半球型の容器１５内に備えられた臭い放散物質１３とで構成されている。天井からの臭いの噴霧は、火災発生時の避難経路を確保するのに適しており、また、臭い成分は大気に対し重い場合が多く、設置場所として適切である。半球型の容器１５は、臭い成分が外部に自然発散させないために、前記放散制御手段４からの信号に基づき開かれる臭い放散口１５０を有している。前記放散制御手段４からの信号に基づき臭い放散口１５０が開かれると共にモータ１７が回転し、ファン２００により臭い放散物質１３を天井から放散する。
【００２３】
図６において、前記臭い放散手段９は、就寝時にも的確に匂いを伝達するものである。図６（ａ）に示すように、臭い発生制御手段９０の一部として設けられている容器３０に取り付けられたモータ１７の回転により回転されるファン２００と、臭い発生手段９１として設けられている発熱体１３と、該発熱体１３の周囲に巻きつく形で備えられている臭い含浸材３１とで構成されている。前記臭い発生制御手段９０は、容器３０に取り付けられたモータ１７の回転により回転されるファン２００と制御回路３５で構成されている。前記容器３０には臭いを放散する窓３２が形成されている。また、図６（ｂ）に示すように、前記容器３０は、ランプスタンド３４に設けられている電球３６の近くに設置し、就寝時にも的確に匂いを伝達する。前記臭い含浸材３１に含浸されている臭いは、メチルメルカブタンや弱アンモニア材料等の臭いが望ましいが、２種類以上の香料を準備する場合は、一方には起床を促進させるペパーミントやスペアミント、ローズマリー、ユーカリ、レモングラス等の香り又はこれらを混合した香料を使用することが望ましい。
【００２４】
前記放散制御手段からの信号に基づき信号線７を介して制御回路３５が作動し、信号線８を経由してファン２００が回転されると共に前記発熱体１３に電流が加わり、周囲の臭い含浸材３１を熱して臭いを放散する。なお、臭い含浸材３１の周囲に熱破断性材料を巻きつけ、通常は香気の外部流出を避け、熱が加わると破断するようにしてもよい。また発熱体１３以外に通常使用される白熱灯等ランプの熱を利用しても良く、更に制御回路３５によってランプを点灯してもよい。
【００２５】
なお、前記図４乃至図６に示した実施形態における臭い含浸材は、ＥＶＡ樹脂連続気泡体や、ポリエチレン連続気泡体等が望ましいが、臭いを内部に保持できる多孔質材料であれば、樹脂材料だけでなく金属材料でもよい。
【００２６】
次に、図１の動作を説明する。臭い放散手段９は、避難経路に沿って間隔を空けて複数個、配設されている。臭い条件設定手段であるキーボード５から入力された臭いの放散状態（臭いが連続的に放散される状態または間欠的に放散される状態）、放散開始時間、放散間隔、放散濃度などは、放散制御手段４のＣＰＵ４０によりＲＡＭ４１に格納される。前記ＲＡＭ４１に格納されたデータは、ディスプレイ６により確認され、間違いがあれば再度入力される。火災検知手段１から信号線３を介して火災の発生が報知されると、放散制御手段４は、前記ＲＡＭ４１に格納されたデータに基づいて以下のように臭い放散手段９を制御する。
【００２７】
まず、臭いの放散状態が、臭いが連続的に放散される状態に設定されている場合について説明する。前記避難経路に沿って間隔を空けて複数個、配設されている複数の臭い放散手段９は、放散開始時間がそれぞれ同一に設定されていてもよく、或は異なっていてもよい。放散開始時間がそれぞれ同一に設定されている場合には、ベル音の聞こえない環境、例えば、騒音の大きい場所、ベルの設置されていない場所などにいる、視聴覚障害者以外の多数の人も同時に火災の発生を知ることができる。また、放散開始時間がそれぞれ異なって設定されている場合には、火災検知手段１から信号線３を介して得られた火災の発生現場に近い臭い放散手段９から順次避難口に近づくように臭い放散手段９を作動させる。このように、時間差を設けて臭い放散手段９を作動させることにより、視覚障害者のように避難の速度が遅くても、避難口に近づくにしたがつて放散した臭いが残っているようにすることができる。
【００２８】
火災検知手段１から信号線３を介して火災の発生が報知されると、放散制御手段４のＣＰＵ４０は、前記ＲＡＭ４１に格納されたデータを読み出し、臭い放散手段９を制御する。放散開始時間がそれぞれ同一に設定されている場合には、全ての臭い放散手段９が作動するように駆動回路４３を介して臭い放散手段９に信号を送る。また、放散開始時間がそれぞれ異なって設定されている場合には、火災の発生現場に近い臭い放散手段９から作動するように、駆動回路４３を介して臭い放散手段９に信号を送る。臭い放散手段９は、前記信号を放散制御手段４から受信すると、臭い発生制御手段９０が作動して臭い発生手段９１から臭いを放散する。
【００２９】
次に、臭いの放散状態が、臭いが間欠的に放散される状態に設定されている場合について説明する。前記避難経路に沿って間隔を空けて複数個、配設されている複数の臭い放散手段９は、放散開始時間がそれぞれ同一に設定されていてもよく、或は異なっていてもよい。臭いが間欠的に放散される状態に設定されている場合であっても、複数の臭い放散手段９を作動させる順序は、臭いが連続的に放散される状態に設定されている場合と同一である。臭いが間欠的に放散される状態に設定されている場合には、放散制御手段４のＣＰＵ４０は、前記ＲＡＭ４１に格納された放散間隔、放散濃度のデータを読み出し、臭い放散手段９を以下のように制御する。
【００３０】
臭いの濃度は予め決定した材料によって規定されるが、空気中に放散された場合には、その濃度は、排出された量によって定まる。したがって、ＣＰＵ４０は放散濃度のデータを読み出し、設置されている臭い放散手段９に備えられている臭い発生手段９１毎に空気中の放散濃度、即ち放散時間を例えば０．１秒乃至５秒などに決定する。また、前記放散時間の間隔は、初期段階では放散間隔が長く、徐々にその間隔を短くする。この結果、危険度を強調する作用をなし、避難者に速やかな避難を促す効果がある。また、初期段階では放散間隔を長くすると共に、その放散濃度も薄くする、即ち放散時間を短くすることにより、火災検知手段１の誤動作などの場合に、当該火災報知装置及び環境に対する被害を最小限にとどめることができる。
【００３１】
以下、前記図１に示した火災報知装置を用いた第１の火災報知方法について説明する。臭い放散手段９は、避難経路に沿って間隔を空けて複数個、配設されている。臭い条件設定手段であるキーボード５から臭い放散手段９が配設されている場所、臭い放散手段９の種類、臭いの放散状態（臭いが連続的に放散される状態または間欠的に放散される状態）、放散開始時間、放散間隔、放散濃度などが入力されている。火災の発生時に、火災検知手段１からの信号により放散制御手段４を作動する。放散制御手段４は、キーボード５から入力された前記臭い放散手段９が配設されている場所、臭いの放散状態（臭いが連続的に放散される状態または間欠的に放散される状態）、放散開始時間、放散間隔、放散濃度などのデータと配設されている臭い放散手段９の種類から、臭いを発生する順序、臭いの放散時間、放散間隔を決定する。放散制御手段４は、火災現場近くの臭い放散手段９から作動し、順次避難口から遠い臭い放散手段９に向かって作動し、前記臭い放散手段により臭いを放散するように制御して火災を報知する。
【００３２】
次に、前記図１に示した火災報知装置を用いた第２の火災報知方法について説明する。臭い放散手段９は、寝室などの睡眠をする場所に配設されている。臭い条件設定手段であるキーボード５から臭い放散手段９が配設されている場所、臭い放散手段９の種類、臭いの放散状態（臭いが連続的に放散される状態または間欠的に放散される状態）、放散開始時間、放散間隔、放散濃度などが入力されている。火災の発生時に、火災検知手段１からの信号により放散制御手段４を作動する。放散制御手段４は、キーボード５から入力された、前記臭い放散手段９が配設されている場所、臭いの放散状態（臭いが連続的に放散される状態または間欠的に放散される状態）、放散開始時間、放散間隔、放散濃度などのデータと配設されている臭い放散手段９の種類とから、先ず起床を喚起する臭いを放散する臭い放散手段９を作動して臭いを放散させる。その後に、起床を喚起する臭いを停止し、刺激臭を放散する臭い放散手段９を作動して臭いを放散させるように制御して火災を報知する。なお、前記起床を喚起する臭いは停止しないで刺激臭を放散する臭いを放散するようにしてもよい。
【００３３】
次に、前記図１に示した火災報知装置を用いた第３の火災報知方法について説明する。臭い条件設定手段であるキーボード５から臭い放散手段９が配設されている場所、臭い放散手段９の種類、臭いの放散状態（臭いが連続的に放散される状態または間欠的に放散される状態）、放散開始時間、放散間隔、放散濃度などが入力されている。火災の発生時に、火災検知手段１からの信号により放散制御手段４を作動する。放散制御手段４は、キーボード５から入力された、前記臭い放散手段９が配設されている場所、臭いの放散状態（臭いが連続的に放散される状態または間欠的に放散される状態）、放散開始時間、放散間隔、放散濃度などのデータと配設されている臭い放散手段９の種類とから、臭い放散手段９を間欠的に作動し、該間欠作動時の初期段階では放散間隔を長く、放散時間を短く制御して、時間経過と共に徐々に放散間隔を短くすると共に放散時間を長く制御して臭いを放散させて火災を報知する。
【００３４】
また、前記第３の火災報知方法において、臭い放散手段９が避難経路に沿って間隔を空けて複数個、配設されている場合には、第１の火災報知方法で説明したように、火災現場近くの臭い放散手段９から作動し、順次避難口から遠い臭い放散手段９に向かって作動し、前記臭い放散手段により臭いを放散するとともに、前記第３の火災報知方法において説明したように、それぞれの臭い放散手段９を間欠的に作動し、該間欠作動時の初期段階では放散間隔を長く、放散時間を短く制御して、時間経過と共に徐々に放散間隔を短くすると共に放散時間を長く制御して臭いを放散させて火災を報知する。
【００３５】
なお、図１において、臭いの放散を制御する放散制御手段４には、火災の発生を検知する火災検知手段１が１個として図示してあるが、これ以外に複数個の火災検知手段１が接続されていてもよく、あるいは、火災検知手段１が、例えば火災の進展状況に応じてその情況などを送信する多機能の火災検知手段１であってもよい。かかる場合には、放散制御手段４は、前記多機能の火災検知手段１の信号を解釈して、臭いの放散状態（臭いが連続的に放散される状態または間欠的に放散される状態）、放散開始時間、放散間隔、放散濃度などを適宜選択するようにする。また、複数個の火災検知手段１が接続されている場合には、放散制御手段４は、火災報知信号を送出した当該火災検知手段１近くに配設されている臭い放散手段を作動する。かかる場合、予め放散制御手段４には火災検知手段１が配設されている箇所と、臭い放散手段との位置関係を示すデータをマイクロコンピュータ（ＣＰＵ）４０のＲＡＭ４１またはＲＯＭ４２に格納しておく。
【００３６】
【発明の効果】
請求項１記載の火災報知装置によれば、火災の発生を検知する火災検知手段からの信号により作動する放散制御手段と、該放散制御手段により作動される臭い放散手段とを備え、前記放散制御手段は、連続的に放散する臭いの放散開始時間又は間欠的に放散する臭いの放散時間、放散間隔、放散濃度を設定する臭い条件設定手段を備えると共に該臭い条件設定手段により設定された臭い条件に応じて前記臭い放散手段を作動する。その結果、放散制御手段により各種の臭い放散手段に対応して多岐に亘る火災状況に応じて、連続的に放散する臭い或は、間欠的に放散する臭いを発生することができる。また、放散制御手段を備えることにより各種の臭い放散手段を多岐に亘る火災状況に対応して作動でき、視覚及び聴覚障害者に対しても火災の発生を迅速に報知できる。
【００３７】
請求項２乃至５記載の火災報知装置によれば、臭い放散手段を設置する環境、それを使用する状況等に応じて適宜選択することができるとともに、放散制御手段により制御されることにより多岐に亘る火災状況、使用環境に対応して例えば就眠中であっても作動でき、迅速な火災報知が可能である。
【００３８】
請求項６記載の火災報知装置によれば、前記臭い放散手段は、避難経路に沿って間隔を空けて配設されていることにより、迅速な火災報知と共に、ビルなどの避難経路の不明な場所であっても避難通路を知ることができ、火災時の被害を軽減する効果がある。
【００３９】
請求項７記載の火災報知方法によれば、臭い放散手段を避難経路に沿って間隔を空けて配設し、火災の発生時に、火災検知手段からの信号により作動する放散制御手段の制御により火災現場近くの臭い放散手段から作動し、順次避難口から遠い臭い放散手段に向って作動し、前記臭い放散手段により臭いを放散し火災を報知することにより、ビルなどの避難経路の不明な場所であっても避難通路を知ることができ、該避難経路に沿って誘導し、火災時の被害を軽減する効果がある。
【００４０】
請求項８記載の火災報知方法によれば、火災の発生時に、火災検知手段からの信号により作動する放散制御手段により、起床を喚起する臭いを放散する臭い放散手段を作動して臭いを放散させた後に、刺激臭を放散する臭い放散手段を作動して臭いを放散させて火災を報知することにより、就眠中であっても起床を促し、迅速な避難に効果がある。
【００４１】
請求項９記載の火災報知方法によれば、臭い放散手段を避難経路に沿って間隔を空けて配設し、火災の発生時に、火災検知手段からの信号により作動する放散制御手段の制御により臭い放散手段を間欠的に作動し、該間欠作動時には、初期段階では長い放散間隔であると共に短い放散時間で臭いを放散させ、時間経過と共に徐々に放散間隔が短くなると共に放散時間を長くして臭いを放散させて火災を報知することにより、危険度を強調する作用をなし、避難者に速やかな避難を促す効果がある。また、初期段階では放散間隔を長くすると共に、その放散濃度も薄くする、即ち放散時間を短くすることにより、火災検知手段の誤動作などの場合に、当該火災報知装置及び環境に対する被害を最小限に留めることができる。
【図面の簡単な説明】
【図１】火災報知装置の構成を示すブロック図である。
【図２】臭い放散手段の第１の実施形態である。
【図３】図２の一部拡大図である。
【図４】臭い放散手段の第２の実施形態である。
【図５】臭い放散手段の第３の実施形態である。
【図６】臭い放散手段の第４の実施形態である。
【符号の説明】
１  火災検知手段
２  火災報知ベル
４  放散制御手段
５  キーボード
６  ディスプレイ
９  臭い放散手段
４０  ＣＰＵ
４３  駆動回路
９０  臭い発生制御手段
９１  臭い発生手段
【図１】
2004326326.tif 000003
【図２】
2004326326.tif 000004
【図３】
2004326326.tif 000005
【図４】
2004326326.tif 000006
【図５】
2004326326.tif 000007
【図６】
2004326326.tif 000008